(57)【要約】【課題】ＨＤＤを備える映像記録装置に「デフラグ」等のメンテナンス処理を行う場合はユーザ所望番組が放送される時間を避ける必要がある。しかし、この設定はユーザにとって煩雑であり、これを低減することが課題となっていた。【解決手段】実施形態の映像記録装置は、記録媒体にメンテナンスを行うメンテナンス手段を備える。また、前記記録媒体のメンテナンスを行う候補時刻を抽出し、前記メンテナンスを行う候補時刻を映像表示部に表示する表示手段を備える。また、前記映像表示部に表示された候補時刻に基づいて、前記記録媒体のメンテナンスを行う時刻が設定されるメンテナンス時刻設定手段を備え、前記設定された時刻に応じて前記記録媒体にメンテナンスを行う。【選択図】  図４
2012075046.tif 000002
【特許請求の範囲】
【請求項１】
複数の放送番組に係る映像信号を同時に受信し、記録媒体に記録する映像記録手段と、
前記記録媒体にメンテナンスを行うメンテナンス手段と、
前記記録媒体のメンテナンスを行う候補時刻を抽出し、前記メンテナンスを行う候補時刻を映像表示部に表示する表示手段と、
前記映像表示部に表示された候補時刻に基づいて、前記記録媒体のメンテナンスを行う時刻が設定されるメンテナンス時刻設定手段を備え、前記設定された時刻に応じて前記記録媒体にメンテナンスを行う映像記録装置。
【請求項２】
前記表示手段は、前記メンテナンスを行う候補時刻の表示に加え、その候補時刻に放送される番組の内容を表示する請求項１に記載の映像記録装置。
【請求項３】
前記映像記録手段は複数の放送チャンネルで放送される番組を予め決められた時間、連続して記録する請求項１に記載の映像記録装置。
【請求項４】
前記候補時刻に放送される番組の内容は、放送予定番組を表示するための情報が用いられる請求項１に記載の映像記録装置。
【請求項５】
前記記録媒体のメンテナンスを行う候補時刻は、放送予定番組を表示するための情報から１つ以上の放送チャンネルで番組の放送が行われていない時間帯を含む請求項１に記載の映像記録装置。
【請求項６】
前記記録媒体のメンテナンスを行う候補時刻は、前記記録媒体に記録された複数の放送番組の再生状況に基づき、再生されたことが少ない放送番組が放送される時間帯を含む請求項１に記載の映像記録装置。
【請求項７】
前記記録媒体のメンテナンスを行う候補時刻は、インターネットを介して番組の評判に係る情報を取得し、評判の高くない番組が放送される時間帯を含む請求項１に記載の映像記録装置。
【請求項８】
複数の放送番組に係る映像信号を同時に受信し、記録媒体に記録する映像記録手段と、
前記記録媒体にメンテナンスを行うメンテナンス手段と、
映像を表示する部映像表示部と、
前記記録媒体のメンテナンスを行う候補時刻を抽出し、前記メンテナンスを行う候補時刻を前記映像表示部に表示する表示手段と、
前記映像表示部に表示された候補時刻に基づいて、前記記録媒体のメンテナンスを行う時刻が設定されるメンテナンス時刻設定手段を備え、前記設定された時刻に応じて前記記録媒体にメンテナンスを行う映像表示装置。
【請求項９】
前記表示手段は、前記メンテナンスを行う候補時刻の表示に加え、その候補時刻に放送される番組の内容を表示する請求項８に記載の映像表示装置。
【請求項１０】
複数の放送番組に係る映像信号を同時に受信し、記録媒体に記録するステップと、
前記記録媒体にメンテナンスを行うステップと、
前記記録媒体のメンテナンスを行う候補時刻を抽出し、前記メンテナンスを行う候補時刻を映像表示部に表示するステップと、
前記映像表示部に表示された候補時刻に基づいて、前記記録媒体のメンテナンスを行う時刻が設定されるステップを備え、前記設定された時刻に応じて前記記録媒体にメンテナンスを行う映像記録方法。
【発明の詳細な説明】
【技術分野】
【０００１】
本発明の実施形態は、複数の放送番組に係る映像信号を同時に受信し、記録（録画）する映像記録装置に関する。
【背景技術】
【０００２】
現在、複数の放送番組を同時に受信し、受信した複数の放送番組をＨＤＤ等の記録装置に連続的に記録（録画）する機能（「丸録り」）を備えた映像記録装置が実用化されている。
【０００３】
このような映像記録装置においては、記録装置で使用される最大記録容量を予め想定し、この想定された記録容量を事前に用意すれば良い。
しかし、記録装置の使用環境が変化し、予め想定した最大記録容量を超えた記録容量が必要とされる場合がある。
このため、例えばＨＤＤに「デフラグ」等のメンテナンス処理を行い、必要とされる最大記録容量の変化に対応させる方法がある。
ここで、デフラグとはデフラグメンテーション（defragmentation）の略であり、コンピュータ等のファイルシステムにおけるフラグメンテーションを解消することである。
【０００４】
このようなメンテナンス処理を、例えば定期的に行う方法がある。
しかし、このようなメンテナンス処理を、ユーザが放送番組を記録（録画）する時間に行うと、この時間の放送番組は記録（録画）されないことになる。
これを防止するにはユーザ自身が、上記メンテナンス処理を行う時間を設定する必要がある。
しかし、時間の設定は手入力で行う必要があり、また、メンテナンス処理を行う時間帯に所望の番組が放送されていないかを、番組表等を見ながら逐次確認する必要があり、ユーザにとって煩雑であった。
【先行技術文献】
【特許文献】
【０００５】
【特許文献１】特開２００９−５５０９５号公報
【特許文献２】特開２００７−２３５１９０号公報
【発明の概要】
【発明が解決しようとする課題】
【０００６】
複数の放送番組を同時に受信し、ＨＤＤ等の記録装置に記録する映像記録装置においては、ＨＤＤに「デフラグ」等のメンテナンス処理を行う必要があった。
しかし、このメンテナンス処理を行う時間帯は放送番組の記録（録画）が行われないため、ユーザが所望する放送番組が放送される時間帯を避け、メンテナンス処理を行う時間が設定される必要がある。
【０００７】
しかし、この設定は、ユーザ自身がメンテナンス処理を行う時間帯に所望の番組が放送されていないかを、番組表等を見ながら逐次確認する必要があり、ユーザにとって煩雑であった。このため、これを低減することが課題となっていた。
【課題を解決するための手段】
【０００８】
実施形態の映像記録装置は、複数の放送番組に係る映像信号を同時に受信し、記録媒体に記録する映像記録手段を備える。
また、前記記録媒体にメンテナンスを行うメンテナンス手段を備える。
また、前記記録媒体のメンテナンスを行う候補時刻を抽出し、前記メンテナンスを行う候補時刻とその候補時刻に放送される番組の内容を映像表示部に表示する表示手段を備える。
【０００９】
また、前記映像表示部に表示された候補時刻に基づいて、前記記録媒体のメンテナンスを行う時刻が設定されるメンテナンス時刻設定手段を備え、前記設定された時刻に応じて前記記録媒体にメンテナンスを行う。
【図面の簡単な説明】
【００１０】
【図１】実施形態に係わる映像記録装置を示すブロック図。
【図２】実施形態に係わる映像記録装置から出力される複数の放送チャンネルで放送される番組を連続して録画設定する設定画面の一例を示す図。
【図３】実施形態に係わる映像記録装置に係るメンテナンス時刻候補の一覧表示を提示する画面の一例を示す図。
【図４】実施形態に係わる映像記録装置に係り、上記一覧表示された候補からメンテナンス時刻が選択された際の候補選択確認画面の一例を示す図。この候補の直近の時間帯の番組一覧を表示し、メンテナンス時刻とするかどうかを促す。
【図５】実施形態に係わる映像記録装置に係り、毎日、２４時間の録画設定を行った設定画面の一例を示す図。
【図６】実施形態に係わる映像記録装置に係り、記録媒体のメンテナンスを行う候補検索の概念図。
【図７】実施形態に係わる映像記録装置に係り、上記候補検索結果から得られる候補一覧を表示する画面表示の一例を示す図。
【図８】実施形態に係わる映像記録装置に係り、候補検索の他の例を示す図。
【発明を実施するための形態】
【００１１】
以下、図面を参照し、実施の形態を説明する。
図１は、実施形態に係わる映像記録装置を示すブロック図である。
図１は、実施形態に係わる録画装置を示すブロック図である。
符号１は映像表示装置（録画装置）、符号２はアンテナ、符号３ａ、３ｂ、３ｃ、３ｄ、３ｅ、３ｆはチューナ、符号４は信号処理部、符号５は映像処理部、符号６は音声処理部、符号７は表示処理部、符号８は表示装置、符号９はスピーカ、符号１０はバスである。
【００１２】
符号１１は制御部、符号１２はＭＰＵ、符号１３はＲＡＭ、符号１４はＲＯＭ、符号１５はフラッシュメモリ、符号１６は録画装置である。
符号１７は外部インターフェース、符号１８は外部記憶装置、符号１９は操作受信部、符号２０は操作機器（リモートコントローラ）である。
符号２１は送受信部、符号２２は録画番組表生成部、符号２３は番組表作成部、符号２６はインターネットである。
符号２５ａ、２５ｂは放送番組を放送する放送局である。放送番組は放送局２５ａ、２５ｂ等、複数の放送局から複数の番組が放送される。
アンテナ２は映像表示装置（録画装置）１に接続される。符号３ａ、３ｂ、３ｃ、３ｄ、３ｅ、３ｆはチューナである。ここでは複数のチューナが構成される。
複数の放送局２５ａ、２５ｂ等から放送波の形態で放送された複数の番組（放送信号）が、アンテナ２で受信され、チューナ３ａ、３ｂ、３ｃ、３ｄ、３ｅ、３ｆに送信される。チューナ３ａ、３ｂ、３ｃ、３ｄ、３ｅ、３ｆでは、複数の番組（放送信号）を選局受信し、信号処理部４へ出力する。
【００１３】
ここでは、制御部１１のＭＰＵ１２は、チューナ（３ａ、３ｂ、３ｃ、３ｄ、３e、３f）、信号処理部４、映像処理部５、音声処理部６、表示処理部７、ＲＡＭ１３、ＲＯＭ１４、フラッシュメモリ１５、録画装置１６、外部インターフェース１７、操作受信部１９、操作機器（リモートコントローラ）２０、送受信部２１とそれぞれ、バス１０を介して接続され、これらを制御する。
【００１４】
信号処理部４は、チューナ３ａ、３ｂ、３ｃ、３ｄ、３ｅ、３ｆで選局され、同時（並列）に送信された複数の番組に係る映像信号に同時（並列）にデコード処理を施し、トランスポートストリーム（ＴＳ）のフォーマットで、録画装置１６へ映像信号を出力する。
【００１５】
録画装置１６は、例えばＨＤＤ（ハードディスク装置）等の記録媒体を備えた大容量の録画装置（映像信号記録装置）であり、ここでは映像表示装置１の内部に構成される。録画装置１６はＳＳＤでも構成可能である。
【００１６】
録画装置１６は、トランスポートストリーム（ＴＳ）のフォーマットで送信された映像信号を連続的に受信し、受信した複数の放送番組を全て、録画装置１６に録画する（「丸録り」）。
【００１７】
録画装置１６に「丸録り」された複数の放送番組は、適宜再生可能である。「丸録り」された映像信号の中から再生のために抽出された番組に係る映像信号は信号処理部４でデコード処理され、それぞれ音声信号と映像信号を抽出し、出力する。音声信号は音声処理部６に出力される。映像信号は映像処理部５に出力される。
【００１８】
音声処理部６は出力された音声信号にデコード処理を行い、スピーカ９へ出力する。スピーカ９はデコード処理された音声信号を受信し、音声に変換して出力する。
映像処理部５は出力された映像信号にデコード処理を行い、表示処理部７へ出力する。表示処理部７は色や表示位置等の表示処理を行い、表示装置８へ出力する。表示装置８は表示処理された映像信号を受信し、図示しない表示パネル等の表示部に表示する。
【００１９】
また、録画番組表生成部２２で生成された過去番組表は上記のように、表示装置８に表示される。
この実施の形態においては、外部インターフェース１７を介して、映像表示装置１の外部にＨＤＤやＳＳＤ等の記憶媒体を備える外部記憶装置１８が接続され、上記録画装置１６と同様に用いることが可能である。
【００２０】
また、操作受信部１９を介して、リモートコントローラやキーボード等の操作機器２０が接続され、映像表示装置１のユーザ操作が可能である。
また、送受信部２１を介して、インターネット２６に接続され、インターネット通信が可能である。
例えば、この実施の形態においては、後述する記録媒体のメンテナンスを行う候補時刻は、このインターネット２６を介して番組の評判に係る情報を取得し、評判の高くない番組が放送される時間帯を含むように構成することが可能である。
【００２１】
また、上記においては、チューナ３ａ、３ｂ、３ｃ、３ｄ、３ｅ、３ｆは「丸録り」に用いられる説明を行ったが、ＰＶＲ録画にも用いることが可能である。
図２は、実施形態に係わる映像表示記録から出力される複数の放送チャンネルで放送される番組を連続して録画設定する設定画面の一例を示す図である。
この実施の形態においては、録画設定する指定範囲の時間帯、及び、録画する曜日を指定する。ここでは、曜日には、複数の曜日も指定可能である。例えば、特定の１日から７日までの毎日を指定可能である。
【００２２】
この設定画面は表示装置８に表示される。
符号２００は複数の放送チャンネルで放送される番組を連続録画設定する「複数チャンネル連続録画設定」画面であることを示している。
ここでは、符号２０１および符号２０２はそれぞれ放送番組の連続録画が設定されたことを示している。
符号２０１では、毎日、午前４：００〜午後０：００に放送番組の連続録画が設定されたことを示している。また、符号２０２では、毎週金曜日、午後２：００〜午後３：００に放送番組の連続録画が設定されたことを示している。
【００２３】
符号２０１ａは、符号２０１の連続録画設定を視覚的に示している。また符号２０２ａは、符号２０２の連続録画設定を視覚的に示している。
図３は、実施形態に係わる映像記録装置に係るメンテナンス時刻候補の一覧表示を提示する画面の一例を示す図である。
ここでは、上記図２の状態でのメンテナンス時刻候補の一覧提示画面である。
ここでは、ユーザが録画予約を行った録画時間と重複していない時間帯一覧を表示し、ユーザがカーソルで選択できるようにする。
このメンテナンス時刻候補の一覧提示画面は表示装置８に表示される。
符号３００は複数の放送チャンネルで放送される番組を連続録画設定する「メンテナンス時刻候補一覧」画面であることを示している。
ここでは、符号３０１および符号３０２はそれぞれメンテナンス時刻候補を示している。
符号３０１は、日曜日、午前０：００〜午前０：１０がメンテナンス時刻候補であることを示している。また、符号３０２では、日曜日、午前０：１０〜午前０：２０がメンテナンス時刻候補であることを示している。
【００２４】
符号３０３はカーソル表示である。ここでは、カーソル３０３で符号３０１を付した、日曜日、午前０：００〜午前０：１０がハイライト表示されている。
ユーザは例えば操作機器２０を操作し、カーソル３０３を移動させ、このメンテナンス時刻候補の中から設定するメンテナンス時刻を選択する。
図４は、実施形態に係わる映像記録装置に係り、上記一覧表示された候補からメンテナンス時刻が選択された際の候補選択確認画面の一例を示す図である。
例えば、この候補の直近の時間帯の番組一覧を表示し、メンテナンス時刻として設定してよいかの確認を促す。
この候補選択設定画面は表示装置８に表示される。
符号４００は上記「候補選択確認画面」であることを示している。
ここでは、符号４０１は「以下の番組が存在しますが、システムメンテナンス時刻に設定してもよろしいですか？」と表示し、メンテナンス時刻として設定してよいかの確認を促している。
【００２５】
符号４０２は、ユーザが「ＹＥＳ」または「ＮＯ」を確認する表示である。
符号４０３は上記と同様のカーソル表示である。ここでは、カーソル表示４０３で「ＹＥＳ」がハイライト表示されている。
符号４０４は、例えば日曜日、午前０：００〜午前０：１０にメンテナンスを行う時刻として設定することを示している。
符号４０５は、上記メンテナンスを行う候補時刻（日曜日、午前０：００〜午前０：１０）に放送される番組の内容が示されている。
ここでは、このメンテナンスを行う候補時刻において、放送局Ａでは番組Ａを放送し、放送局Ｂでは番組Ｂを放送し、放送局Ｃでは番組Ｃを放送し、放送局Ｄでは番組Ｄを放送し、放送局Ｅでは番組Ｅを放送し、放送局Ｆでは番組Ｆが放送されることを示している。
【００２６】
ユーザは、これらの表示画面に基づいてメンテナンスを行う候補時刻として、日曜日、午前０：００〜午前０：１０を設定してよいと判断した場合は、上記ＹＥＳを選択し、指定する。日曜日、午前０：００〜午前０：１０はメンテナンスを行う候補時刻として設定しないと判断した場合は、ＮＯを選択し、指定する。
【００２７】
このように構成することにより、映像記録装置１は、ＨＤＤ等の記録媒体のメンテナンスを行う候補時刻を抽出し、メンテナンスを行う候補時刻とその候補時刻に放送される番組の内容を表示装置８に表示する。
【００２８】
また、ユーザはメンテナンスを行う候補時刻に放送される番組を簡易に確認することができる。
図５は実施形態に係わる映像記録装置に係り、毎日、２４時間の録画設定を行った設定画面の一例を示す図である。
この設定画面は表示装置８に表示される。
符号５００は「複数チャンネル連続録画設定」画面であることを示している。
符号５０１では、毎日、午前４：００〜午前４：００（２４時間）に放送番組の連続録画が設定されたことを示している。
符号５０１ａは、符号２０１の連続録画設定を視覚的に示している。
図６は、実施形態に係わる映像記録装置に係り、記録媒体のメンテナンスを行う候補検索の概念図である。
ここでは、例えば放送波からＥＰＧ情報等の番組表６００に係る情報を取得し、この番組表６００に係る情報から放送休止番組や番組情報の存在しない時間帯を検索する。
【００２９】
この放送休止番組の検索方法は、例えば、番組名の文字列「放送休止」を検索し、番組情報の存在有無は、例えば、開始時刻、期間よりテーブルを作成し、空白時間帯から求めることが可能である。
【００３０】
この例では、符号６０１を付した放送局Ｂで、８月２３日（月）、午前２：００〜午前５：００が放送休止であることを示している。また、符号６０２を付した放送局Ｃで、８月２３日（月）、午前２：００〜午前４：００が放送休止であることを示している。また、符号６０３を付した放送局Ｅで、８月２３日（月）、午前０：３０〜午前４：００が番組情報の存在無しであることを示している。
【００３１】
そして、映像記録装置１の制御部１１は、例えば、８月２３日（月）、午前２：００〜午前３：４０は、「放送されている番組が少ない時間帯」であると判断し、この時間帯を、メンテナンスを行う候補時刻として抽出する。
【００３２】
言い換えれば、この時間帯に放送される例えば、放送局Ａの放送番組、放送局Ｄの放送番組、放送局Ｆの放送番組は、上記のように、放送される番組の内容が示される。
【００３３】
図７は、実施形態に係わる映像記録装置に係り、上記候補検索結果から得られる候補一覧を表示する画面表示の一例を示す図である。
この一覧表示画面は表示装置８に表示される。
符号７００は「メンテナンス時刻候補一覧」画面であることを示している。
符号７０１は、日曜日、午前２：００〜午前２：１０がメンテナンス時刻候補であることを示している。また、符号７０２では、日曜日、午前２：１０〜午前２：２０がメンテナンス時刻候補であることを示している。
【００３４】
符号７０３はカーソル表示である。ここでは、カーソル７０３で符号７０１を付した、日曜日、午前２：００〜午前２：１０がハイライト表示されている。
ユーザは例えば操作機器２０を操作し、カーソル７０３を移動させ、これらのメンテナンス時刻候補の中から設定するメンテナンス時刻を選択する。
図８は実施形態に係わる映像記録装置に係り、候補検索の他の例を示す図である。
図８（ａ）は視聴番組のジャンルを累計する例を示す図である。
この実施の形態においては、例えば、ユーザの視聴番組(生放送、および、録画された番組の両方)のジャンルをカウントする。
そして、ジャンル毎に順位をつけ、それぞれの係数を設定する。
そして、番組表をそれぞれのジャンルに重みづけされた値で時間帯毎に合計し、これらの値の少ない(すなわちユーザが好まない番組が多い)時間帯をメンテナンス時刻候補とするように構成してもよい。
【００３５】
なお、ここでは、ジャンル毎の視聴数の割合を係数としているが、他の方法で計数を決定するように構成してもよい。
図８（ｂ）は例えば、番組表に係る情報をメンテナンス時間で区切り、区切られた時間帯のジャンル係数の合計値を求める例を示す図である。
ここでは、区間Ａの合計値が１００であるのに対し、区間Ｂの合計値は３７である。
これらの合計値の少ない時間帯が、ユーザが関心の薄い時間帯であると判断し、メンテナンス時刻候補とするように構成してもよい。
すなわちこの実施の形態においては、映像記録装置１は複数の放送チャンネルで放送される番組を例えば２４時間等の予め決められた時間、連続して記録するように構成している。
【００３６】
また、映像記録装置１はメンテナンス候補時刻に放送される番組の内容は、ＥＰＧ情報等の放送予定番組を表示するための情報が用いられるように構成している。
また、映像記録装置１は記録媒体のメンテナンスを行う候補時刻は、放送予定番組を表示するための情報から１つ以上の放送チャンネルで番組の放送が行われていない時間帯を含むように構成している。
【００３７】
また、映像記録装置１は記録媒体のメンテナンスを行う候補時刻は、記録媒体に記録された複数の放送番組の再生状況に基づき、再生されたことが少ない放送番組が放送される時間帯を含むように構成している。
【００３８】
また、映像記録装置１は記録媒体のメンテナンスを行う候補時刻は、インターネットを介して番組の評判に係る情報を取得し、評判の高くない番組が放送される時間帯を含むように構成している。
【００３９】
なお、上記実施の形態に係る映像記録装置１に設定されたメンテナンスを行う時刻は、例えば、ユーザの嗜好が変化することもあるため、適宜変更可能に構成し、再設定できるようにすることが望ましい。
【００４０】
上記のように構成することによって、この発明の実施の形態においては、複数の放送番組に係る映像信号を同時に受信し、記録（録画）する映像記録装置において、メンテナンス処理を行う時間帯を設定する際にユーザが感じる煩雑さを低減することが可能になる。
【００４１】
なお、上記実施形態は、記述そのものに限定されるものではなく、実施段階では、その趣旨を逸脱しない範囲で、構成要素を種々変形して具体化することが可能である。
【符号の説明】
【００４２】
１…映像表示装置（録画装置）、２…アンテナ、３ａ…チューナ、３b…チューナ、３c…チューナ、３d…チューナ、３e…チューナ、３f…チューナ、４…信号処理部、５…映像処理部、６…音声処理部、７…表示処理部、８…表示装置、９…スピーカ、１０…バス、１１…制御部、１２…ＭＰＵ、１３…ＲＡＭ、１４…ＲＯＭ、１５…フラッシュメモリ、１６…録画装置、１７…外部インターフェース、１８…外部記憶装置、１９…操作受信部、２０…操作機器（リモートコントローラ）、２１…送受信部、２２…録画番組表生成部、２３…番組表作成部、２５ａ…放送局、２５ｂ…放送局、２６…インターネット。
【図１】
2012075046.tif 000003
【図２】
2012075046.tif 000004
【図３】
2012075046.tif 000005
【図４】
2012075046.tif 000006
【図５】
2012075046.tif 000007
【図６】
2012075046.tif 000008
【図７】
2012075046.tif 000009
【図８】
2012075046.tif 000010